(57)【要約】【課題】照明制御装置及び放電灯点灯装置で発生した電源帰還ノイズを除去し、雑音を低減する。【解決手段】この照明器具１は、照明制御装置２、放電灯点灯装置３、放電灯５を備えている。照明制御装置２は、電源Ｅと接続し、上記電源Ｅからの電力経路にコモンモードフィルタ４を備えている。照明制御装置２は、動作電力としてコモンモードフィルタ４を介して電源Ｅから交流電力が供給される。また、照明制御装置２は、放電灯点灯装置３に対して、コモンモードフィルタ４を介して供給された電力を出力するとともに、放電灯５の照度を変化させる調光信号を出力する。放電灯点灯装置３は、上記調光信号に基づいて放電灯５の点灯制御を行う。【選択図】図１
2006114339.tif 000002
【特許請求の範囲】
【請求項１】
電源と接続し、照明負荷と接続する放電灯点灯装置を制御する照明制御装置であって、
前記電源からの電力経路にフィルタを備え、
前記フィルタを介して前記電源から動作電力が供給されるとともに、
前記フィルタを介して供給された電力を放電灯点灯装置に出力する
ことを特徴とする照明制御装置。
【請求項２】
前記放電灯点灯装置が前記照明負荷を調光制御し、
前記照明負荷の経時劣化による光束減退に応じて前記照明負荷の照度が増加するように調光信号を前記放電灯点灯装置に出力する初期照度補正手段を備える
ことを特徴とする請求項１記載の照明制御装置。
【請求項３】
予め決められた物理量の検出に基づいて前記放電灯点灯装置を制御するセンサ制御手段を備えることを特徴とする請求項１記載の照明制御装置。
【請求項４】
前記放電灯点灯装置が前記照明負荷を調光制御し、
外部制御信号に基づいて前記照明負荷の照度が変化するように調光信号を前記放電灯点灯装置に出力する外部制御手段を備えることを特徴とする請求項１記載の照明制御装置。
【請求項５】
前記フィルタがコモンモードフィルタであることを特徴とする請求項１記載の照明制御装置。
【請求項６】
請求項１〜５のいずれか記載の照明制御装置と、
前記照明制御装置と接続する放電灯点灯装置と
を備えることを特徴とする照明器具。
【請求項７】
請求項１〜５のいずれか記載の照明制御装置を備えることを特徴とする照明システム。
【発明の詳細な説明】
【技術分野】
【０００１】
本発明は、例えば、放電灯点灯装置を制御する照明制御装置とこれを含む照明器具及び照明システムに関するものである。
【背景技術】
【０００２】
従来、この種の照明器具は、種々提案され市販されている。例えば、特許文献１には、図７に示すような照明器具１ａが開示されている。照明器具１ａは、放電灯点灯装置３、照明制御装置８、放電灯（照明負荷）５を備えている。
【０００３】
放電灯点灯装置３は、例えば、整流器３０、チョッパ３１、インバータ回路３２、インバータ制御部３３を備えている。上記放電灯点灯装置３の動作について説明する。先ず、チョッパ３１は、整流器３０からの出力電圧を昇圧する。次に、スイッチング素子Ｑ２，Ｑ３を交互にオンオフさせることによって放電灯５に高周波電力（交番電流）を出力する。ここで、放電灯５への給電経路にはコイルＬ４及びコンデンサＣ６が存在するから、スイッチング素子Ｑ２，Ｑ３のオンオフの周期（動作周波数）と、コイルＬ４及びコンデンサＣ６等による共振周波数との関係によって、放電灯５への供給エネルギーを調節する。
【０００４】
一方、照明制御装置８は、点灯時間検出部８０、点灯時間タイマ８１、初期照度補正制御部（照度補正装置）２２を備えている。点灯時間検出部８０は、電源Ｅの電圧を分圧する抵抗Ｒ２，Ｒ３の直列回路８００と、抵抗Ｒ３の両端電圧を全波整流するダイオードブリッジからなる整流器８０１と、上記整流器８０１の出力電圧を平滑する平滑コンデンサＣ７とからなる。つまり、平滑コンデンサＣ７の両端電圧が規定電圧以上である期間を点灯時間タイマ８１が計時する。
【０００５】
上記より、電源Ｅが投入され平滑コンデンサＣ７の両端電圧が規定電圧に達すると、点灯時間タイマ８１は、上述した初期設定処理を行い、不揮発性メモリ２２２から前回までの放電灯５の点灯時間を読み出した後、調光比設定部２２０に上記点灯時間を与える。調光比設定部２２０は、不揮発性メモリ２２２に格納されている補正用テーブルに点灯時間を照合し、点灯時間に対応した調光比を読み出す。このようにして読み出された調光比を調光信号生成部２２１に与え、インバータ回路３２の出力を制御する。また、点灯時間タイマ８１は、点灯時間を計時し、計時後の時間を不揮発性メモリ２２２に格納する。以後、電源Ｅが供給されている期間では、点灯時間を不揮発性メモリ２２２から読み出して新たな点灯時間を不揮発性メモリ２２２に書き込むまでの動作を繰り返し、点灯時間に応じて放電灯５への供給電力を調節する。
【０００６】
また、図８に示す他の照明器具１ｂは、図７に示す照明器具１ａと同様の機能及び構成を有している。他の照明器具１ｂは、電源Ｅからの電力を照明制御装置２及び放電灯点灯装置３に対して個別に供給している。ノーマルモードフィルタ２１は、コンデンサＣ１，Ｃ２及びコイル（インダクタ）Ｌ１からなる。整流部２７は、ノーマルモードフィルタ２１側から抵抗Ｒ１、ダイオードＤ１、平滑コンデンサＣ３を順に備える単相半波整流回路である。整流部２７は、直流電力を初期照度補正制御部２２に出力する。初期照度補正制御部２２は、特許文献１と同様に、放電灯５の経時劣化による光束減退を補正するために、放電灯５の点灯時間に応じて調光信号を増加させて、放電灯５の光束減退を抑える初期照度補正制御を行う。
【０００７】
なお、特許文献２にも、図８と同様に、電源からの電力が照明制御装置及び放電灯点灯装置に対して個別に供給されている照明器具が開示されている。また、特許文献３には、電源からの電力が照明制御装置を介して放電灯点灯装置に供給されている照明器具が開示されている。
【特許文献１】特開２００１−１５２７６号公報
【特許文献２】特開２０００−２７６９３８号公報
【特許文献３】特開２００２−２４６８１７号公報
【発明の開示】
【発明が解決しようとする課題】
【０００８】
しかしながら、上記従来の照明器具等は、照明制御装置及び放電灯点灯装置の各々が雑音を発生するので、照明制御装置及び放電灯点灯装置の両方のノイズが合わさって電源に帰還されてしまう（電流帰還ノイズ）。これにより、上記従来の照明器具は、照明制御装置を備えず放電灯点灯装置のみを備えている照明器具（図９参照）と比較して、雑音を主原因とする電源環境の悪化が発生するという問題がある（図１０参照）。具体的には、５ＭＨｚ以下、特に０．５ＭＨｚ付近の雑音が高くなる。
【０００９】
上記問題に対して、照明制御装置及び放電灯点灯装置の各々に対して個別に雑音を低減する方法がある。しかしながら、上記方法では、照明制御装置及び放電灯点灯装置の組み合わせを十分に検討する必要があった。
【００１０】
本発明は上記の点に鑑みて為されたものであり、その目的とするところは、電源帰還ノイズを除去し、雑音を低減することができる照明制御装置とこれを含む照明器具及び照明システムを提供することにある。
【課題を解決するための手段】
【００１１】
請求項１に記載の発明は、電源と接続し、照明負荷と接続する放電灯点灯装置を制御する照明制御装置であって、前記電源からの電力経路にフィルタを備え、前記フィルタを介して前記電源から動作電力が供給されるとともに、前記フィルタを介して供給された電力を放電灯点灯装置に出力することを特徴とする。
【００１２】
この構成では、照明制御装置及び放電灯点灯装置で発生した電源帰還ノイズを除去することができ、雑音を低減することができる。
【００１３】
請求項２に記載の発明は、請求項１に記載の発明において、前記放電灯点灯装置が前記照明負荷を調光制御し、前記照明負荷の経時劣化による光束減退に応じて前記照明負荷の照度が増加するように調光信号を前記放電灯点灯装置に出力する初期照度補正手段を備えることを特徴とする。この構成では、照明負荷の光束減退を抑制することができる。
【００１４】
請求項３に記載の発明は、請求項１に記載の発明において、予め決められた物理量の検出に基づいて前記放電灯点灯装置を制御するセンサ制御手段を備えることを特徴とする。この構成では、予め決められた物理量の検出に基づいて放電灯点灯装置を制御することができる。
【００１５】
請求項４に記載の発明は、請求項１に記載の発明において、前記放電灯点灯装置が前記照明負荷を調光制御し、外部制御信号に基づいて前記照明負荷の照度が変化するように調光信号を前記放電灯点灯装置に出力する外部制御手段を備えることを特徴とする。この構成では、外部制御信号に基づいて照明負荷の照度を変化させることができる。
【００１６】
請求項５に記載の発明は、請求項１に記載の発明において、前記フィルタがコモンモードフィルタであることを特徴とする。この構成では、照明制御装置及び放電灯点灯装置で発生した電源帰還ノイズを除去することができ、雑音を低減することができる。
【００１７】
請求項６に記載の発明は、照明器具が、請求項１〜５のいずれかに記載の照明制御装置と、前記照明制御装置と接続する放電灯点灯装置とを備えることを特徴とする。
【００１８】
この構成では、照明制御装置及び放電灯点灯装置で発生した電源帰還ノイズを除去することができ、雑音を低減することができる。
【００１９】
請求項７に記載の発明は、照明システムが、請求項１〜５のいずれかに記載の照明制御装置を備えることを特徴とする。
【００２０】
この構成では、照明制御装置及び放電灯点灯装置で発生した電源帰還ノイズを除去することができ、雑音を低減することができる。
【発明の効果】
【００２１】
本発明によれば、照明制御装置及び放電灯点灯装置で発生した電源帰還ノイズを除去することができ、雑音を低減することができる。
【発明を実施するための最良の形態】
【００２２】
（実施形態１）
先ず、実施形態１の基本的な構成について説明する。実施形態１の照明器具は、照明制御装置により放電灯点灯装置を制御し、放電灯（照明負荷）を点灯させるものであり、図１に示すように、照明制御装置２、放電灯点灯装置３、放電灯５を備えている。
【００２３】
放電灯５は、ガラス管の両端に電極を備え、放電灯点灯装置３からの高周波電力により放電し点灯する照明負荷である。
【００２４】
照明制御装置２は、コモンモードフィルタ４、ノーマルモードフィルタ２１、整流部２７、初期照度補正制御部２２を順に備え、端子部２０で電源Ｅと接続し、端子部２３で放電灯点灯装置３と接続し、上記放電灯点灯装置３を制御する。なお、コモンモードフィルタ４とノーマルモードフィルタ２１との間には、ヒューズＦ１を備えている。また、電源Ｅは、例えば商用電源等であり、交流電力（商用電力）を照明制御装置２に供給する。
【００２５】
コモンモードフィルタ４は、コイル（インダクタ）Ｌ２からなり、電源Ｅからの交流電力の経路上に備えられている。電源Ｅからの交流電力はコモンモードフィルタ４を介して照明制御装置２に供給され、照明制御装置２は上記供給された交流電力で動作する。また、照明制御装置２は、コモンモードフィルタ４を介して供給された交流電力を放電灯点灯装置３に出力する。これにより、コモンモードフィルタ４は、照明制御装置２及び放電灯点灯装置３で発生した電源帰還ノイズのうちコモンモードノイズを低減することができる。ノーマルモードフィルタ２１は、コンデンサＣ１，Ｃ２、コイル（インダクタ）Ｌ１からなり、ノーマルモードノイズを低減する。
【００２６】
整流部２７は、ノーマルモードフィルタ２１側から抵抗Ｒ１、ダイオードＤ１、平滑コンデンサＣ３を順に備える単相半波整流回路である。ダイオードＤ１は、ノーマルモードフィルタ２１から入力された交流電力を半波整流する。平滑コンデンサＣ３は、上記半波整流された電力を平滑な直流電力に変換する。整流部２７は、上記直流電力を初期照度補正制御部２２に出力する。なお、整流部２７は、単相半波整流回路に限定されるものではなく、単相全波整流回路等であってもよい。また、電源Ｅが三相の場合、三相半波整流回路、三相全波整流回路等であってもよい。
【００２７】
初期照度補正制御部２２は、調光比設定部２２０、調光信号生成部２２１（ともに図７参照）を備え、整流部２７から直流電力を入力し、放電灯５の経時劣化による光束減退に応じて放電灯５の照度が増加するように調光信号を放電灯点灯装置３に出力する初期照度補正手段である。これにより、放電灯５の光束減退を抑制することができる。また、初期照度補正制御部２２は、点灯時間タイマ（図示せず）とともにマイコンにより構成される。上記マイコンは、点灯時間タイマによる計時時間を読み書きするとともに、初期照度補正制御部２２で用いる補正用テーブルを格納したＥＥＰＲＯＭである不揮発性メモリ２２２（図７参照）を設けている。補正用テーブルは放電灯５の点灯時間と補正用の調光比とを対応付けたテーブルである。
【００２８】
調光比設定部２２０（図７参照）は、点灯時間タイマ（図示せず）により計時された点灯時間を用いて不揮発性メモリ２２２（図７参照）から調光比を読み出し、放電灯５の光出力を略一定に保つための調光比を決定する。調光信号生成部２２１（図７参照）は、調光比設定部２２０により決定された調光比に基づいて、インバータ制御部（図示せず）に与える調光信号を生成する。
【００２９】
放電灯点灯装置３は、整流器３０、チョッパ３１、インバータ回路３２、インバータ制御部３３（全て図７参照）を備え、入力側で初期照度補正制御部２２及び端子部２３と接続するとともに、出力側で放電灯５と接続する。放電灯点灯装置３は、放電灯５を調光制御することができる。電源Ｅからの交流電力は、コモンモードフィルタ４及び端子部２３を介して放電灯点灯装置３に供給される。
【００３０】
整流部３０は、図７に示すように、電源Ｅを全波整流するダイオードブリッジからなる。チョッパ３１は、整流器３０の直流出力端間にコイル（インダクタ）Ｌ３を介してＭＯＳＦＥＴからなるスイッチング素子Ｑ１を備え、スイッチング素子Ｑ１の両端間にダイオードＤ１と平滑コンデンサＣ４との直列回路を接続し、上記平滑コンデンサＣ４を電源としてインバータ回路３２を駆動する昇圧チョッパ回路である。
【００３１】
インバータ回路３２は、平滑コンデンサＣ４の両端間に接続されたＭＯＳＦＥＴからなる一対のスイッチング素子Ｑ２，Ｑ３の直列回路を備えるとともに、一方のスイッチング素子Ｑ３の両端間に、直流カット用のコンデンサＣ５、共振用のコイル（インダクタ）Ｌ４及び放電灯５の直列回路を接続している。スイッチング素子Ｑ２，Ｑ３を交互にオンオフする。また、放電灯５（図１参照）の両電極（フィラメント）の非電源側端間にはコイルＬ４とともに共振回路を構成するコンデンサＣ６を接続している。インバータ制御部３３は、スイッチング素子Ｑ１〜Ｑ３を高周波数でオンオフさせる。また、インバータ制御部３３は、初期照度補正制御部２２（図１参照）から調光信号を入力し、スイッチング素子Ｑ２，Ｑ３のオンオフの周期（つまり動作周波数）を制御することによって、放電灯５に供給する高周波電力を調節している。
【００３２】
次に、実施形態１の照明器具１の動作について説明する。図１に示すように、照明制御装置２において、コモンモードフィルタ４は、電源Ｅから端子部２０を介して入力された交流電力のノイズを低減する。すなわち、端子部２０の両端に発生した同位相のノイズ（例えばコモンモードノイズ等）は、コモンモードフィルタ４により相殺されて低減する。ノーマルモードフィルタ２１は、上記同位相のノイズが低減された交流電力からノーマルモードノイズを低減し、上記交流電力を整流部２７に出力する。整流部２７は、上記ノーマルモードフィルタ２１を通過した交流電力を直流電力に変換し、上記変換された直流電力を初期照度補正制御部２２に出力する。
【００３３】
初期照度補正制御部２２において、図７に示すように、不揮発性メモリ２２２から前回までの放電灯５（図１参照）の点灯時間を読み出した後、調光比設定部２２０に上記点灯時間を与える。調光比設定部２２０は、不揮発性メモリ２２２に格納されている補正用テーブルに点灯時間を照合し、点灯時間に対応した調光比を読み出す。調光信号生成部２２１は、上記読み出された調光比が与えられ、インバータ回路３２の出力を制御する。以後、電源Ｅから交流電力が供給されている期間では、点灯時間を不揮発性メモリ２２２から読み出して新たな点灯時間を不揮発性メモリ２２２に書き込むまでの動作を繰り返す。
【００３４】
一方、上記放電灯点灯装置３の動作について説明する。先ず、端子部２３（図１参照）を介して上記同位相のノイズが低減された交流電力を入力する。チョッパ３１は、整流器３０からの直流電力を昇圧する。次に、インバータ制御部３３は、初期照度補正制御部２２（図１参照）からの調光信号に基づいて、スイッチング素子Ｑ２，Ｑ３を交互にオンオフさせて高周波電力を設定する。ここで、スイッチング素子Ｑ２，Ｑ３のオンオフの周期（動作周波数）と、コイルＬ４及びコンデンサＣ６による共振周波数との関係により、放電灯５（図１参照）への高周波電力の供給エネルギーを調節し、上記高周波電力（交番電流）を放電灯５に出力する。放電灯５は、上記高周波電力に基づいて点灯及び消灯を行う。
【００３５】
上記より、図１に示すように、電源Ｅと照明制御装置２とを接続しコモンモードフィルタ４を介して、電源Ｅからの交流電力を照明制御装置２及び放電灯点灯装置３に供給するので、照明制御装置２及び放電灯点灯装置３の各々で発生した電源帰還ノイズを低減することができる。
【００３６】
また、実施形態１の照明器具１は、従来の照明器具１ｂと比較すると、５ＭＨｚ以下では約１０ｄＢ、特に０．５ＭＨｚ付近若しくは以下では約２０ｄＢの端子雑音が低減する（図２，９参照）。さらに、照明器具が照明制御装置を備えていない場合、つまり放電灯点灯装置のみの場合の端子雑音結果を図１０に示す。実施形態１の照明器具１は、放電灯点灯装置のみの照明器具と同等、又はそれ以下のノイズレベルに端子雑音を低減することができる。
【００３７】
以上、実施形態１によれば、照明制御装置２を介して電源Ｅからの交流電力を放電灯点灯装置３に供給するようにし、上記電源Ｅからの交流電力を放電灯点灯装置３に出力する経路にコモンモードフィルタ４を備えることにより、照明制御装置２及び放電灯点灯装置３で発生した電源帰還ノイズを除去することができ、雑音を低減することができる。
【００３８】
（実施形態２）
実施形態２は、図３に示すように、照明器具１が放電灯点灯装置３、放電灯５を備える点で実施形態１と同様であるが、実施形態１にはない以下に記載の特徴部分がある。実施形態２では、照明システム６が照明器具１、照明制御装置２を備えている。つまり、実施形態１では、照明制御装置２を照明器具１内に設けた構成であったが、実施形態２では、照明制御装置２を照明器具１の外部に設けた構成である。
【００３９】
以上、実施形態２によれば、実施形態１と同様に、照明制御装置２及び放電灯点灯装置３で発生した電源帰還ノイズを除去することができ、雑音を低減することができる。
【００４０】
（実施形態３）
実施形態３は、照明器具１が照明制御装置２、放電灯点灯装置３、放電灯５（全て図１参照）を備える点で実施形態１と同様であるが、実施形態１にはない以下に記載の特徴部分がある。実施形態３の照明器具１は、図４に示すように、実施形態１の照明器具１（図１参照）と異なり、明るさセンサ１０を備えている。また、実施形態３の照明制御装置２は、実施形態１の照明制御装置２（図１参照）と異なり、明るさ制御部２４を備えている。なお、図４は、図１のＡ１，Ａ２より出力側（図１の右側）を置き換えたものであり、図４のＡ１，Ａ２は、図１のＡ１，Ａ２とそれぞれ接続する。
【００４１】
明るさセンサ１０は、明るさ制御部２４と接続し、周囲の明るさの検出を行い、上記検出に基づく検出信号を明るさ制御部２４に出力するセンサ手段である。明るさ制御部２４は、明るさセンサ１０から検出信号を入力するセンサ制御手段であり、上記検出信号に基づいて放電灯５（図１参照）の照度が変化するように調光信号を放電灯点灯装置３に出力する。例えば、周囲の明るさが予め決められた明るさになるように放電灯５を調光させる。
【００４２】
次に、実施形態３の照明器具１の動作について実施形態１と異なる点を説明する。先ず、明るさセンサ１０が周囲の明るさを検知する。続いて、明るさ制御部２４は、上記明るさが予め決められた明るさより明るかったり暗かったりすると、周囲の明るさが予め決められた明るさになるように調光信号を設定し、放電灯点灯装置３（図１参照）を制御する。
【００４３】
以上、実施形態３によれば、実施形態１と同様の効果を得ることができるとともに、周囲の明るさの検出に基づいて放電灯点灯装置３（図１参照）を制御することができる。
【００４４】
なお、実施形態３は、明るさ制御部を備える明るさ制御装置、明るさセンサ及び調光型放電灯点灯装置を組み合わせた構成であったが、実施形態３の変形例として、上記構成に限定されるものではなく、表１に示すように組み合わせた構成であってもよい。このような構成にしても、予め決められた物理量の検出に基づいて放電灯点灯装置を制御することができる。
【００４５】
【表１】
2006114339.tif 000003
【００４６】
（実施形態４）
実施形態４は、照明システム６が照明器具１、照明制御装置２（全て図３参照）を備える点で実施形態２と同様であるが、実施形態２にはない以下に記載の特徴部分がある。実施形態４の照明制御装置２は、図５に示すように、実施形態２の照明制御装置２（図３参照）と異なり、調光制御部２５を備えている。なお、図５は、図３のＢ１，Ｂ２より出力側（図３の右側）を置き換えたものであり、図５のＢ１，Ｂ２は、図３のＢ１，Ｂ２とそれぞれ接続する。
【００４７】
調光制御部２５は、例えば使用者等の操作に基づく外部制御信号を調光信号に変換し、その調光信号に基づいて放電灯５（図３参照）の照度が変化するように放電灯点灯装置３（図３参照）を制御する外部制御手段である。外部制御信号は、例えばＬＯＮ信号、ＤＡＲＩ信号、デジタル信号等である。なお、実施形態４では、外部制御信号を有線で接続している。
【００４８】
以上、実施形態４によれば、実施形態２と同様の効果を得ることができるとともに、外部制御信号に基づいて放電灯５（図３参照）の照度を変化させることができる。
【００４９】
（実施形態５）
実施形態５は、照明器具１が照明制御装置２、放電灯点灯装置３、放電灯５（全て図１参照）を備える点で実施形態１と同様であるが、実施形態１にはない以下に記載の特徴部分がある。実施形態５の照明器具１は、図６に示すように、実施形態１の照明器具１（図１参照）と異なり、リモコン受光部１１を備えている。また、実施形態５の照明制御装置２は、実施形態１の照明制御装置２（図１参照）と異なり、リモコン制御部２６を備えている。なお、図６は、図１のＡ１，Ａ２より出力側（図１の右側）を置き換えたものであり、図６のＡ１，Ａ２は、図１のＡ１，Ａ２とそれぞれ接続する。
【００５０】
リモコン受光部１１は、例えば使用者等の操作に基づき、無線の外部制御信号であるリモコン信号を受信する。リモコン制御部２６は、リモコン受光部１１と接続し、リモコン受光部１１が受信したリモコン信号を入力し、上記リモコン信号を調光信号に変換し、上記変換された調光信号に基づいて放電灯５（図１参照）の照度が変化するように放電灯点灯装置３（図１参照）を制御する外部制御手段である。
【００５１】
以上、実施形態５によれば、実施形態１と同様の効果を得ることができるとともに、リモコン信号に基づいて放電灯５（図１参照）の照度を変化させることができる。
【図面の簡単な説明】
【００５２】
【図１】本発明による実施形態１の照明器具の回路図である。
【図２】同上の照明器具の端子雑音を表す図である。
【図３】本発明による実施形態２の照明システムの回路図である。
【図４】本発明による実施形態３の照明器具の回路図である。
【図５】本発明による実施形態４の照明システムの回路図である。
【図６】本発明による実施形態５の照明器具の回路図である。
【図７】従来の照明器具の回路図である。
【図８】同上の他の照明器具の回路図である。
【図９】同上の放電灯点灯装置のみを備える照明器具の端子雑音を表す図である。
【図１０】同上の照明制御装置及び放電灯点灯装置を備える照明器具の端子雑音を表す図である。
【符号の説明】
【００５３】
１  照明器具
２  照明制御装置
３  放電灯点灯装置
４  コモンモードフィルタ
５  放電灯
６  照明システム
Ｅ  電源
【図１】
2006114339.tif 000004
【図２】
2006114339.tif 000005
【図３】
2006114339.tif 000006
【図４】
2006114339.tif 000007
【図５】
2006114339.tif 000008
【図６】
2006114339.tif 000009
【図７】
2006114339.tif 000010
【図８】
2006114339.tif 000011
【図９】
2006114339.tif 000012
【図１０】
2006114339.tif 000013